(57)【要約】【課題】２つネットワークと同時接続し、端末側で双方のネットワークと同時接続する場合、端末内に２種類のネットワークに対応した回路を動作させる必要があり、その場合に、通常のシングル端末と比較して２倍程度の電力をＰＣより供給する必要があり、その電力量を想定した場合に、使用できるインタフェースに大幅な制限が発生してしまう。【解決手段】通信端末は、通信端末内の接続中のネットワークに対応する回路の中で消費電力の大きい機能部を一時的に非活性化し、その間に、通信端末は、通信端末と、もう片側のネットワークとの無線品質を測定し、システム間ハンドオーバ可能と判定した場合に、ハンドオーバを行なう。【選択図】図３
2011155589.tif 000002
【特許請求の範囲】
【請求項１】
第１の無線ネットワークと第２の無線ネットワークとに接続し、前記無線第１のネットワークから前記第２の無線ネットワークへのハンドオフを制御するハイブリッド通信端末において、
前記無線第１のネットワークとの接続を実施する第１の機能部と、前記第２の無線ネットワークとの接続を実施する第２の機能部と、前記第１の機能部と前記第２の機能部とをコンピュータに接続するハブとからなり、
前記第１の機能部と前記第２の機能部とは、それぞれ前記無線第１のネットワークと前記第２の無線ネットワークとの接続状態取得し、前記コンピュータに送信することを特徴とするハイブリッド通信端末。
【請求項２】
請求項１に記載のハイブリッド通信端末であって、
前記第１の機能部と前記第２の機能部とは、それぞれＲＦバンド部と、モデム部と、電源管理部とからなり、
非選択系の電源管理部は、非選択系のＲＦバンド部とモデム部との少なくとも一部を非活性化することを特徴とするハイブリッド通信端末。
【請求項３】
請求項１に記載のハイブリッド通信端末であって、
前記第１の機能部と前記第２の機能部との一方は、優先系として事前に登録されていることを特徴とするハイブリッド通信端末。
【請求項４】
コンピュータを、
第１のネットワークの状態監視部と、
第２のネットワークの状態監視部と、
前記第１のネットワークの状態監視部の第１の判定結果と前記第２のネットワークの状態監視部の第２の判定結果とに基づいて、前記第１のネットワークから前記第２のネットワークへのハンドオーバを判定し、制御するハンドオーバ制御部と、
して機能させるためのプログラム。
【請求項５】
第１の無線ネットワークと第２の無線ネットワークとに同時に接続するハイブリッド通信端末において、
前記第１の無線ネットワークと接続するための第１のモデム部と第１のＲＦバンド部と、前記第２の無線ネットワークと接続するための第２のモデム部と第２のＲＦバンド部と、を備え、
前記第１の無線ネットワークとの待ち受け状態にあるとき、前記第１のモデム部と前記第１のＲＦバンド部との送信部を非活性とし、前記第２のモデム部と前記第２のＲＦバンド部との受信部を活性として、前記第２の無線ネットワークの状態を監視することを特徴とするハイブリッド通信端末。
【発明の詳細な説明】
【技術分野】
【０００１】
本発明は、コンピュータに接続するハイブリッド通信端末およびプログラムに係り、特にコンピュータから電源供給を受け、しかも通信を継続したままのハンドオーバが可能なハイブリッド通信端末およびプログラムに関する。
【背景技術】
【０００２】
移動通信システムは、音声通話サービスやモバイル向けの低容量の移動体専用インターネット、電子メールのやり取りだけではなく、昨今の３Ｇ特に３．５Ｇでの既存移動体網をベースとしたブロードバンドモバイルサービス、および、更なるブロードバンド通信が可能となるＷｉＭＡＸ（登録商標）のような新規ブロードバンドモバイサービスを手軽に利用できるようになったことにより、高速移動することで発生するドップラー効果での通信速度の低減分を考慮しても、動画ストリーミングに代表されるブロードバンドコンテンツを、モバイル環境でも十分に利用できる環境が構築されてきている状況である。
【０００３】
しかし、新規ブロードバンドモバイルサービスであるＷｉＭＡＸは、既存移動体網をベースとした３Ｇネットワークと比較した場合に、高速性に優れているという利点を持つ半面、現行のサービスエリアについては、まだ、スポット的なサービス提供となっており、ＷｉＭＡＸ単体では、何処でも使用できるという状況にはなっていない為に、高速通信可能なＷｉＭＡＸで利用可能な環境では、ＷｉＭＡＸ通信を行い、それ以外のＷｉＭＡＸ圏外エリアでは、既存の３Ｇネットワークへ自動的に切り替えを行う端末の二―ズが大きくなっている状況である。
【０００４】
また、これらの移動体端末を使うＰＣについては、小型化／軽量化の流れが強く、それに伴い、各種Ｉ／Ｏ機器を接続するインタフェースも小型化、共通化され、また、同じく小型化による搭載バッテリの容量制限もあり、結果的にＩ／Ｏへ供給できる最大電力が低いインタフェースのみを実装する小型ＰＣが普及している環境となっている。
【０００５】
つまり、ユーザが利用するＩ／Ｏ機器に合わせて、ＰＣを選択しなければならないケースが増えてきている。また、小型化されたＰＣであっても、通信端末を介して、情報の入手や、情報のやり取りを行うニーズは必然的に高いが、通信端末として、高速化と省電力化はトレードオフ的な要素であり、通信端末の省電力化が強く望まれている状況である。
【０００６】
特許文献１は、通信端末にて、異なる２つのネットワークと同時に同一データの通信を行うことが可能であり、通信端末が第１ネットワークと接続を開始し、通信端末が通信端末と第一ネットワーク間の無線通信品質がモニタを行い、そのモニタ結果が、ある無線通信品質の閾値を下まわったら、第２ネットワークとの接続を行い、通信端末と第２ネットワーク間で、通信端末と第一ネットワーク間と同一データでの通信を開始し、同じく、通信端末間と第２ネットワーク間の無線通信品質状況のモニタを行い、通信端末と第２ネットワーク間の無線通信品質がある閾値を超えて通信を行えることを確認できたならば、通信端末と第一ネットワーク間の接続を切断することで、ハンドオーバを実行するというものである。
【０００７】
特許文献２は、通信端末にて、異なる２つのネットワークと同時に通信可能またはどちらか一方と通信を行うことが可能であり、通信端末が第１ネットワークと接続し、通信端末と第１ネットワーク間の通信品質、通信端末と第一ネットワークで通信した際の消費電力、通信端末と第１ネットワーク間の通信速度、使用される通信アプリケーション、これらの情報を通信端末が取得可能であり、同じく、通信端末は、通信端末と第２ネットワークとも同様の情報を取得可能であり、これらのモニタ値を、ハンドオーバのパラメータに利用して、使用される通信アプリケーションを問題無く利用できる範囲で、省電力化を図ることを可能とする側のネットワークを選択して、通信端末と省電力化が図れる側と新規接続またはハンドオーバを実行するというものである。
【先行技術文献】
【特許文献】
【０００８】
【特許文献１】特開２００８−２３６０７９号公報
【特許文献２】特開２００９−０４９８７５号公報
【発明の概要】
【発明が解決しようとする課題】
【０００９】
＜方式確定の遅れから当面は端末側での対応が必須＞
従来の異なるネットワーク間のハンドオーバ方式は、通信端末は勿論のこと、各々のネットワーク側にも、ハンドオーバを実施する為に専用設備が必要となる。
【００１０】
通信端末の場合は、専用回路、ネットワークの場合には専用設備を準備する必要があるが、ネットワーク側の設備含めて対応する場合、将来のシステムマイグレーションや、ローミングの容易性等を考慮し、標準団体、例えば、３Ｇネットワークでは３ＧＰＰや３ＧＰＰ２、ＷｉＭＡＸでは、ＩＥＥＥやＷｉＭＡＸ Ｆｏｒｕｍ等で、Ｆｉｘされた方式をサポートした、専用設備を利用するのが一般的である。
【００１１】
この場合、これらの標準団体がＷｉＭＡＸと３Ｇネットワークとのハンドオーバ仕様をＦｉｘする迄、ＷｉＭＡＸと３Ｇネットワークとのハンドオーバサービスを提供できない。また、ネットワーク側の専用設備は高価であり、設備投資による費用負担が大きい。さらに、ＷｉＭＡＸのような、サービスインされたばかりのネットワークは、当初、サービスエリアが狭い為、既存ネットワークとのローミングをサポートすることで、普及を推進するような方策を行うことが一般的であるが、これを早期に行うことができない問題がある。
＜端末側での対応の場合、電力低減が課題＞
端末側固有の課題として、端末側で双方のネットワークと同時接続し、双方のネットワークとの無線通信品質を比較し、環境の良いネットワークを選択し、常に環境の良いネットワークへハンドオーバする必要がある。しかし、端末側で双方のネットワークと同時接続する場合、端末内に２種類のネットワークと接続するため各々の回路を同時に動作させる必要がある。その場合に、通常のシングル端末と比較して２倍程度の電力をＰＣから供給を受ける必要がある。
【００１２】
しかし、無線モデムをＰＣに接続する場合、上記のように大きな消費電力を供給できる汎用的なインタフェースはが非常に少ない。逆に、電力供給可能なインタフェースを独自に作ることは、利用するＰＣの種類に大幅な制限が発生し、結果的に、市場への普及が進まないこととなる。
＜先行文献の技術＞
特許文献１のように、通信端末が、第１ネットワークと接続されている状況で、通信端末と第１ネットワーク間の無線通信品質がある閾値を下回った場合に、通信端末が第２ネットワークと接続することで、同時に通信端末が異なるネットワークと接続し、通信端末より同一のデータを双方のネットワークへ送信し、通信端末と第２ネットワークの無線通信品質が、ある閾値を超えていた場合に第１ネットワークを切断しハンドオーバを行う場合、通信端末内の異なるネットワークと接続する、各々の異なるネットワークに対応した回路が、双方、同時に動作することとなり、３ＧやＷｉＭＡＸのような高速通信を行うケースでは、消費電力は非常に大きくなる。
【００１３】
この場合、特に、ＰＣから電力を供給してもらうことで動作する通信カードまたは通信ドングル（ＰＣに接続する小型装置）での利用形態では、利用できるインタフェースが少数となる。また、これらのインタフェースが昨今の省電力トレンドには合わない為に、一般的に市販されているＰＣで利用できない。
【００１４】
次に特許文献２においては、通信端末と異ネットワークと接続した場合の各々の消費電力を測定し、アプリケーションの利用が困難とならない範囲で、省電力が図れるネットワークへハンドオーバする場合、通信端末が第１ネットワークと接続されている状況で消費電力を測定した後に、第１ネットワークとの通信を維持したまま、通信端末は、第２ネットワークとの接続を確立し消費電力を測定する為に、この消費電力を測定している過程では、消費電力の観点から考えると特許文献１と同じケースとなる。
【００１５】
また、いくつかのパラメータをハンドオーバの判定要素で利用する為に、各値をリアルタイムで測定する必要がある。しかし、これらの測定回路を移動機に実装した場合に、回路が大規模となる恐れがあり、結果、端末を小型化する構成が困難となる。
すなわち、先行技術では上記課題を解決できない。
【課題を解決するための手段】
【００１６】
上記の課題を解決するため、本発明は、ＰＣ内に実装するアプリケーションによって、各々のネットワークの無線通信品質を、通信端末内の各々独立する異なるネットワークに対応した通信機能部から取得し、ＰＣ内のアプリケーションにより各々のネットワークの無線通信品質を把握し、新規接続時にユーザが設定した優先ネットワークに極力接続することとした。
【００１７】
あるいは異なるシステム間のハンドオーバについて、ＰＣ内に実装するアプリケーション主導で行うことにより、通信端末内の専用回路を小規模にすることが可能となり、また、標準化の動向に影響を受けることが無い。
【００１８】
また、通信端末が異なるネットワークのどちらかと接続中の場合、通信端末と利用している異なるネットワークのどちらかの無線通信品質が、現行の接続を維持することが困難であると判定したまたはある条件を満足した場合に、通信端末は、通信端末内の接続中のネットワークに対応する回路の中で消費電力の大きい機能部を一時的に非活性化し、
その間に、通信端末は、通信端末と異ネットワークのもう片側のネットワークとの無線品質を測定する仕組みを設けた。システム間ハンドオーバ可能と判定した場合に、通信端末は、ハンドオーバ可能と判断した異ネットワークの一方へハンドオーバを行なうようにした。
【００１９】
この場合、通信端末内で同時に駆動する回路規模および消費電力が、片側の通信システムとの通信しかサポートしないシングル通信端末と、ほぼ、同等となり、結果的に、ＰＣがサポートする各インタフェース固有の最大消費電力規定に影響を受けにくくなることを特徴としている。
【００２０】
上述した課題は、第１の無線ネットワークと第２の無線ネットワークとに接続し、無線第１のネットワークから第２の無線ネットワークへのハンドオフを制御するハイブリッド通信端末において、無線第１のネットワークとの接続を実施する第１の機能部と、第２の無線ネットワークとの接続を実施する第２の機能部と、第１の機能部と第２の機能部とをコンピュータに接続するハブとからなり、第１の機能部と第２の機能部とは、それぞれ無線第１のネットワークと第２の無線ネットワークとの接続状態取得し、コンピュータに送信する通信端末により、達成できる。
【００２１】
また、第１の無線ネットワークと第２の無線ネットワークとに同時に接続するハイブリッド通信端末において、第１の無線ネットワークと接続するための第１のモデム部と第１のＲＦバンド部と、第２の無線ネットワークと接続するための第２のモデム部と第２のＲＦバンド部と、を備え、第１の無線ネットワークとの待ち受け状態にあるとき、第１のモデム部と第１のＲＦバンド部との送信部を非活性とし、第２のモデム部と第２のＲＦバンド部との受信部を活性として、第２の無線ネットワークの状態を監視するハイブリッド通信端末により、達成できる。
【００２２】
さらに、コンピュータを、第１のネットワークの状態監視部と、第２のネットワークの状態監視部と、第１のネットワークの状態監視部の第１の判定結果と第２のネットワークの状態監視部の第２の判定結果とに基づいて、第１のネットワークから第２のネットワークへのハンドオーバを判定し、制御するハンドオーバ制御部と、して機能させるためのプログラムにより、達成できる。
【発明の効果】
【００２３】
ＰＣから電力供給を受けて動作する通信端末において、多くのＰＣインタフェースをサポートすることができる。この結果、通信端末を一般的に普及しているＰＣで利用可能となる。また、ＰＣから電力供給を受けないハンドセットタイプの通信端末においても、総合的に消費する電力量が減るので、内臓バッテリの利用時間を長くすることができる。
【図面の簡単な説明】
【００２４】
【図１】無線ネットワークのブロック図である。
【図２】Ｈｙｂｒｉｄ通信端末の機能ブロック図およびＰＣのハードウェアブロック図である。
【図３】ＰＣの機能ブロック図である。
【図４】システム間ハンドオーバ制御ユーザインタフェースのＧＵＩ画面である。
【図５Ａ】ＷｉＭＡＸネットワークから３Ｇネットワークへのハンドオーバを説明するシーケンス図（その１）である。
【図５Ｂ】ＷｉＭＡＸネットワークから３Ｇネットワークへのハンドオーバを説明するシーケンス図（その２）である。
【図６】ＷｉＭＡＸを優先ネットワークとする電源ＯＮからＷｉＭＡＸ待受けへの状態遷移時の無線送受信部の制御切替えを説明するタイムチャートである。
【図７】ＷｉＭＡＸを優先ネットワークとするＷｉＭＡＸ待受け状態からＷｉＭＡＸ通信中への状態遷移時の無線送受信部の制御切替えを説明するタイムチャートである。
【図８】ＷｉＭＡＸを優先ネットワークとするＷｉＭＡＸ通信中から３Ｇ通信中への状態遷移時の無線送受信部の制御切替えを説明するタイムチャートである。
【図９】ＷｉＭＡＸを優先ネットワークとする３Ｇ通信中からＷｉＭＡＸ通信中への状態遷移時の無線送受信部の制御切替えを説明するタイムチャートである。
【図１０】ＷｉＭＡＸを優先ネットワークとするＷｉＭＡＸ通信中からＷｉＭＡＸ待受けへの状態遷移時の無線送受信部の制御切替えを説明するタイムチャートである。
【図１１】ＷｉＭＡＸを優先ネットワークとするＷｉＭＡＸ待受けからＷｉＭＡＸ通信失敗を経て３Ｇ通信中への状態遷移時の無線送受信部の制御切替えを説明するタイムチャートである。
【図１２】ＷｉＭＡＸを優先ネットワークとする３Ｇ通信中からＷｉＭＡＸハンドアップを経て再び３Ｇ通信中への状態遷移時の無線送受信部の制御切替えを説明するタイムチャートである。
【図１３】ＷｉＭＡＸを優先ネットワークとする３Ｇ通信中からＷｉＭＡＸ待受けへの状態遷移時の無線送受信部の制御切替えを説明するタイムチャートである。
【図１４】３Ｇを優先ネットワークとする電源ＯＮから３Ｇ待受けへの状態遷移時の無線送受信部の制御切替えを説明するタイムチャートである。
【図１５】３Ｇを優先ネットワークとする電源ＯＮから３Ｇ待受け状態遷移時の無線送受信部の制御切替えを説明するタイムチャートである。
【図１６】３Ｇを優先ネットワークとする電源ＯＮから３Ｇ待受け状態遷移時の無線送受信部の制御切替えを説明するタイムチャートである。
【図１７】３Ｇを優先ネットワークとする電源ＯＮから３Ｇ待受け状態遷移時の無線送受信部の制御切替えを説明するタイムチャートである。
【図１８】３Ｇを優先ネットワークとする電源ＯＮから３Ｇ待受け状態遷移時の無線送受信部の制御切替えを説明するタイムチャートである。
【図１９】３Ｇ機能部とシステムハンドオーバ制御制御ユーザインタフェースとＷｉＭＡＸ機能部との間のＲＦ制御シーケンス図である（その１）。
【図２０】３Ｇ機能部とシステムハンドオーバ制御制御ユーザインタフェースとＷｉＭＡＸ機能部との間のＲＦ制御シーケンス図である（その２）。
【図２１】３Ｇ機能部とシステムハンドオーバ制御制御ユーザインタフェースとＷｉＭＡＸ機能部との間のＲＦ制御シーケンス図である（その３）。
【図２２】３Ｇ機能部とシステムハンドオーバ制御制御ユーザインタフェースとＷｉＭＡＸ機能部との間のＲＦ制御シーケンス図である（その４）。
【図２３】３Ｇ機能部とシステムハンドオーバ制御制御ユーザインタフェースとＷｉＭＡＸ機能部との間のＲＦ制御シーケンス図である（その５）。
【図２４】３Ｇ機能部とシステムハンドオーバ制御制御ユーザインタフェースとＷｉＭＡＸ機能部との間のＲＦ制御シーケンス図である（その６）。
【発明を実施するための形態】
【００２５】
以下、本発明の実施の形態について、実施例を用い図面を参照しながら説明する。なお、実質同一部位には同じ参照番号を振り、説明は繰り返さない。また、２種類の無線ネットワークとして、３ＧとＷｉＭＡＸとを用いて説明するが、２種類の無線ネットワークは、それらに限られない。
【００２６】
まず、図１を参照して、無線ネットワーク１０００の構成を説明する。図１において、無線ネットワーク１０００は、ＰＣ（Personal Computer）４００と接続されたＷｉＭＡＸ／３Ｇ＿Ｈｙｂｒｉｄ通信端末３００と、３Ｇネットワーク１００と、ＷｉＭＡＸネットワーク２００とで構成される。ＷｉＭＡＸ／３Ｇ＿Ｈｙｂｒｉｄ通信端末３００が初めてＰＣ４００と接続されたとき、ＰＣ４００は、システム間ハンドオーバ制御ユーザインタフェース５００をゼロインストールする。３Ｇネットワーク１００は、３Ｇ基地局１１０を備える。ＷｉＭＡＸネットワーク２００は、ＷｉＭＡＸ基地局２１０を備える。
【００２７】
なお、以下、ＷｉＭＡＸ／３Ｇ＿Ｈｙｂｒｉｄ通信端末３００を、単にＨｙｂｒｉｄ通信端末３００と記載する。また、システム間ハンドオーバ制御ユーザインタフェース５００を、単に制御ユーザインタフェース５００と記載する。これは、明細書の記述の増大を防止するためである。
＜初期接続時の動作＞
Ｈｙｂｒｉｄ通信端末３００がＰＣ４００へ実装されると、Ｈｙｂｒｉｄ通信端末３００は、ＰＣ４００より電源供給を受ける。Ｈｙｂｒｉｄ通信端末３００は、ユーザがあらかじめ制御ユーザインタフェース５００へ設定している優先接続ネットワークの捕捉を試み、該当システムにおいて待受け状態に遷移する。
【００２８】
制御ユーザインタフェース５００は、Ｈｙｂｒｉｄ通信端末３００がＰＣ４００で、正常に認識されたことを確認すると、Ｈｙｂｒｉｄ通信端末３００へ、ＷｉＭＡＸネットワーク２００と３Ｇネットワーク１００双方のネットワークの各種状態を周期的に報告させる命令を送信する。制御ユーザインタフェース５００は、リアルタイムで各ネットワーク１００／２００との接続状態を監視する。
＜通信開始時の動作＞
ユーザの操作により、制御ユーザインタフェース５００は、Ｈｙｂｒｉｄ通信端末３００へ接続命令を出す。制御ユーザインタフェース５００は、既にユーザ設定している優先接続モードを確認し、その接続モードに沿って、３Ｇネットワーク１００またはＷｉＭＡＸネットワーク２００に接続する。
【００２９】
なお、ユーザがあらかじめ制御ユーザインタフェース５００へ設定している接続モードは、３Ｇネットワーク１００またはＷｉＭＡＸネットワーク２００のどちらかのネットワークへ優先的に接続するモードおよびどちらかのネットワーク１００／２００のみに接続するモードの中から選択される。
＜ハンドオーバ時の動作＞
次の条件で、制御ユーザインタフェース５００は、Ｈｙｂｒｉｄ通信端末３００内の現在接続中のネットワークに対応した回路の中で、消費電力の大きい部分を非活性化させる命令を、Ｈｙｂｒｉｄ通信端末３００へ送る。
【００３０】
条件１．優先ネットワークと接続中で、接続中のネットワークの通信無線品質が劣化し、ハンドオーバの実行を開始する条件を満足した場合。
条件２．非優先ネットワークと接続中で、そのネットワークの状態が無通信状態で待機状態（ＷｉＭＡＸのＩｄｌｅ状態、３ＧのＤｏｒｍａｎｔ状態）となっているケースの場合。
【００３１】
Ｈｙｂｒｉｄ通信端末３００は、消費電力の大きい部分を非活性化させる命令を受けると、該当部分を非活性状態へ遷移させる。Ｈｙｂｒｉｄ通信端末３００は、非活性状態へ遷移できたことを制御ユーザインタフェース５００へ通知する。Ｈｙｂｒｉｄ通信端末３００より非活性遷移完了を受信すると、制御ユーザインタフェース５００は、Ｈｙｂｒｉｄ通信端末３００へ待機状態となっているＷｉＭＡＸネットワーク２００または３Ｇネットワーク１００に対応した回路を活性化する命令を送る。
【００３２】
なお、システム間ハンドオーバの無限ループを防止する為、非優先ネットワークから優先ネットワークへのハンドオーバであった場合は、通信中のハンドオーバは行なわず、非優先ネットワークが無通信状態で待機状態になった契機で、制御ユーザインタフェース５００より、優先ネットワークに対応した回路部分を活性化する命令に基づいて活性化する。
【００３３】
Ｈｙｂｒｉｄ通信端末３００は、ハンドオーバ先のＷｉＭＡＸネットワーク２００または３Ｇネットワーク１００へ対応する回路を活性化する。Ｈｙｂｒｉｄ通信端末３００は、ハンドオーバ先のＷｉＭＡＸネットワーク２００または３Ｇネットワーク１００の無線通信品質情報を制御ユーザインタフェース５００へ報告する。制御ユーザインタフェース５００は、受信した無線通信品質がハンドオーバを実行する条件を満足しているかを判断する。制御ユーザインタフェース５００は、満足していれば、Ｈｙｂｒｉｄ通信端末３００へハンドオーバ実行命令を送信する。
【００３４】
Ｈｙｂｒｉｄ通信端末３００は、ハンドオーバ実行命令を受信すると、ＷｉＭＡＸネットワーク２００または３Ｇネットワーク１００との接続を確立する。Ｈｙｂｒｉｄ通信端末３００は、結果を、制御ユーザインタフェース５００へ通知する。
【００３５】
制御ユーザインタフェース５００は、接続が確立できれば、ハンドオーバ元のＷｉＭＡＸネットワーク２００または３Ｇネットワーク１００とのセッション情報をクリアする要求を、Ｈｙｂｒｉｄ通信端末３００へ送信する。制御ユーザインタフェース５００は、接続ネットワークが変更となったことを自身のユーザインタフェース５１０上で表示する。制御ユーザインタフェース５００は、接続中のネットワーク状態のモニタを継続する。
【００３６】
接続が確立できない場合、Ｈｙｂｒｉｄ通信端末３００は、ハンドオーバ元のＷｉＭＡＸネットワーク２００または３Ｇネットワーク１００との再接続を試みる。
【００３７】
図２を参照して、Ｈｙｂｒｉｄ通信端末３００とＰＣ４００の構成を説明する。Ｈｙｂｒｉｄ通信端末３００は、ＨＵＢ３１０と、３Ｇ機能部３２０と、ＷｉＭＡＸ機能部３３０とから構成される。３Ｇ機能部３２０は、３Ｇ電源管理部３２１と、３Ｇメモリ部３２２と、３Ｇ後位ＩＦ制御部３２３と、３Ｇ統括制御部３２４と、３Ｇモデム部３２５と、３Ｇ ＲＦバンド部３２６と、３Ｇアンテナ３２７とから構成される。ＷｉＭＡＸ機能部３３０は、ＷｉＭＡＸ電源管理部３３１と、ＷｉＭＡＸメモリ部３３２と、ＷｉＭＡＸ後位ＩＦ制御部３３３と、ＷｉＭＡＸ統括制御部３３４と、ＷｉＭＡＸモデム部３３５と、ＷｉＭＡＸ ＲＦバンド部３３６と、ＷｉＭＡＸアンテナ３３７とから構成される。
ＨＵＢ３１０は、３Ｇ機能部３２０と、ＷｉＭＡＸ機能部３３０とを、ＰＣ４００に接続する。
【００３８】
３Ｇ機能部３２０の３Ｇ統括制御部３２４と、３Ｇモデム部３２５と、３Ｇ ＲＦバンド部３２６は、送信部と受信部に分かれ、それぞれが電力管理部３２１によって個別に供給電力の制御を受ける。
【００３９】
同様に、ＷｉＭＡＸ機能部３３０のＷｉＭＡＸ統括制御部３３４と、ＷｉＭＡＸモデム部３３５と、ＷｉＭＡＸ ＲＦバンド部３３６は、送信部と受信部に分かれ、それぞれが電力管理部３３１によって個別に供給電力の制御を受ける。
【００４０】
ＰＣ４００は、ＵＳＢ ＩＦ部４６０と、ＣＰＵ４６５と、メモリ４７０と、表示部４７５と、ハードディスク４８０と、操作部４８５と、それらを接続する内部通信線４９０とから構成される。
【００４１】
図３を参照して、ＰＣ４００の機能ブロックを説明する。図３において、ＰＣ４００は、通信アプリケーション４１０（具体的にはインタネットブラウザやメーラー）と、接続ネットワークの状態表示テーブル４２０と、ＴＣＰ／ＩＰ４３０部と、デバイスドライバ４４０と、デバイスマネージャ４５０と、システム間ハンドオーバ制御ユーザインタフェース５００から構成される。
【００４２】
デバイスドライバ４４０は、３Ｇデバイスドライバ４４１、ＷｉＭＡＸデバイスドライバ４４２とから構成される。デバイスマネージャ４５０は、モデム４５１、ネットワークアダプタ４５２から構成される。制御ユーザインタフェース５００は、ユーザインタフェース５１０と、ユーザインタフェースＡＰＩ（Application Program Interface）群５２０と、ハンドオーバ／ユーザインタフェース制御部５３０と、３Ｇネットワーク状態監視部５４０と、ＷｉＭＡＸ ネットワーク状態監視部５６０と、３Ｇ ＡＰＩ制御部５７０と、ＷｉＭＡＸ ＡＰＩ制御部５８０と、３Ｇ ＡＰＩ群５９０と、ＷｉＭＡＸ ＡＰＩ群５５０とから構成される。
【００４３】
デバイスマネージャ４５０は、３Ｇ機能部３２０および、ＷｉＭＡＸ機能部３３０の接続形態より、具体的には、３Ｇ機能部３２０がモデム４２１、ＷｉＭＡＸ機能部３３０はネットワークアダプタとして認識されている。
【００４４】
ユーザが操作するユーザインタフェース５１０は、ＷｉＭＡＸネットワーク２００と３Ｇネットワーク１００の状態表示や各種設定、および接続／切断制御を実行する。それらの一つ一つの機能がユーザインタフェースＡＰＩ群５２０に対応している。ハンドオーバ／ユーザインタフェース制御部５３０は、ユーザインタフェースＡＰＩ群５２０と３Ｇ ＡＰＩ群５９０とＷｉＭＡＸ ＡＰＩ群５５０のインタフェース機能を具備すると共に、ハンドオーバ実行の決定や、新規接続時にどちらのネットワークと接続するかを最終的に判断する。
【００４５】
３Ｇネットワーク状態監視部５４０は、３Ｇ ＡＰＩ群５９０の応答メッセージより各システムの無線通信品質や３Ｇ機能部３２０の状態（接続／切断／待受け／Ｐｉｌｏｔ補足中等）を監視する。状態が変化したとき、３Ｇネットワーク状態監視部５４０は、ハンドオーバ／ユーザインタフェース制御部５３０へ通知する。
【００４６】
ＷｉＭＡＸネットワーク状態監視部５６０は、ＷｉＭＡＸ ＡＰＩ群５５０の応答メッセージより各システムの無線通信品質やＷｉＭＡＸ機能分３３０の状態（接続／切断／待受け／Ｐｉｌｏｔ補足中等）を監視する。状態が変化したとき、ＷｉＭＡＸネットワーク状態監視部５６０は、ハンドオーバ／ユーザインタフェース制御部５３０へ通知する。
【００４７】
３Ｇ ＡＰＩ制御部５７０は、ハンドオーバ／ユーザインタフェース制御部５３０からの命令を元に、３Ｇ ＡＰＩ群５９０を実行する。この結果、３Ｇ ＡＰＩ制御部５７０は、３Ｇ機能部３２０を制御する。ＷｉＭＡＸ ＡＰＩ制御部５８０は、ハンドオーバ／ユーザインタフェース制御部５３０からの命令を元に、ＷｉＭＡＸ ＡＰＩ群５５０を実行する。この結果、ＷｉＭＡＸ ＡＰＩ制御部５８０は、ＷｉＭＡＸ機能部３３０を制御する。
【００４８】
図２と図３との対比から明らかなように、システム間ハンドオーバ制御ユーザインタフェース５００の各制御部、ＡＰＩの機能は、メモリ４７０上のプログラムをＣＰＵ４６５が実行して、実現している。
＜初期接続時の動作（優先ネットワークでの接続）＞
Ｈｙｂｒｉｄ通信端末３００がＰＣ４００に接続されると、３Ｇ機能部３２０およびＷｉＭＡＸ機能部３３０の後位ＩＦ制御部３２３／３３３とＰＣ４００がやり取りし、該当する各々のデバイスドライバをＰＣ４００が選択する。ＰＣ４００は、各デバイスに対応したデバイス種別でデバイスマネージャ４５０配下に実装し、デバイス認識が完了する。
【００４９】
デバイス認識が完了すると、制御ユーザインタフェース５００は、ユーザがあらかじめ設定している優先設定情報をデバイスドライバ４４０経由で、３Ｇ機能部３２０とＷｉＭＡＸ機能部３３０へ送信する。
【００５０】
３Ｇ統括制御部３２４、ＷｉＭＡＸ統括制御部３３４は、優先設定情報に基づき、優先ネットワーク側は、アンテナ３２７またはアンテナ３３７を介して、ＷｉＭＡＸネットワーク２００または３Ｇネットワーク１００との接続設定準備を行ない、待受けに遷移する。
【００５１】
非優先ネットワークは、基本的に、非活性状態となり、３Ｇ統括制御部３２４またはＷｉＭＡＸ統括制御部３３４は、各機能部に命令し、消費電力の大きい機能部を動作しないように設定し非活性状態となる。
【００５２】
なお、非活性にする範囲を変更することによって、Ｈｙｂｒｉｄ通信端末３００の消費電力をいくつかの段階に分けて状態で抑制することができる。以下ではいくつかの場合に分けてその動作を説明する。
＜ＲＦバンド部の送信のみ非活性とする場合＞
３Ｇ ＲＦバンド部３２６またはＷｉＭＡＸ ＲＦバンド部３３６の無線送信のみを行なわない。３Ｇ ＲＦバンド部３２６またはＷｉＭＡＸ ＲＦバンド部３３６で無線送信を行なわないようにするとき、３Ｇ ＲＦバンド部３２６またはＷｉＭＡＸ ＲＦバンド部３３６の送信部分の電源をＯＦＦするよう、ＷｉＭＡＸ統括制御部３３４または３Ｇ統括制御部３２４は、３Ｇ電源管理部３２１またはＷｉＭＡＸ電源管理分３３１へ命令する。
【００５３】
通常、各システムにおいて消費電力が大きいブロックは、送信ＲＦバンド部である。接続状態でないシステムの送信側だけを非活性にすることで、該当システムに必要となる消費電力を大幅に低減することができる。ただし受信側は動作を継続することができるので、消費電力を抑えたまま、該当システムの状態監視を継続することができる。
【００５４】
非活性にしたシステムが接続状態にある場合、３Ｇモデム部３２５またはＷｉＭＡＸモデム部３３５は、ＷｉＭＡＸネットワーク２００または３Ｇネットワーク１００から受信するメッセージについて、返答を期待するメッセージは全て無視する。これは、３Ｇモデム部３２５またはＷｉＭＡＸモデム部３３５は、ＷｉＭＡＸ統括制御部３３４または３Ｇ統括制御部３２４から命令されているためである。しかし、ＷｉＭＡＸモデム部３３５または３Ｇモデム部３２５は、メッセージの受信について認識している。トンネルやビルの陰に入って、物理的に電波が受信できない状況となっているわけではないので、非活性状態から活性状態に遷移した際に、基地局１１０／２１０からの電力制御により、過渡的に、高出力で信号を送信するような現象は発生しない。
＜ＲＦバンド部の送受信を非活性とする場合＞
３Ｇ ＲＦバンド部３２６またはＷｉＭＡＸ ＲＦバンド部３３６で無線送信／受信を行なわないようにするには、３Ｇ ＲＦバンド部３２６またはＷｉＭＡＸ ＲＦバンド部３３６の電源をＯＦＦするよう、ＷｉＭＡＸ統括制御部３３４または３Ｇ統括制御部３２４は、３Ｇ電源管理部３２１またはＷｉＭＡＸ電源管理分３３１へ命令する。
【００５５】
この場合においても、無線レイヤは送信受信ともに非活性としているので、非活性期間中に基地局１１０／２１０からの電力制御命令を受信しない為に、非活性状態から活性状態に遷移した際に、基地局１１０／２１０からの電力制御により、過渡的に、高出力で信号を送信することを抑制できる。
＜通信機能全てを非活性とする場合＞
また、３Ｇ機能部３２０またはＷｉＭＡＸ機能部３３０の通信機能を全てＯＦＦする場合、３Ｇモデム部３２５と３Ｇ ＲＦバンド部３２６またはＷｉＭＡＸモデム部３２５とＷｉＭＡＸ ＲＦバンド部３３６の電源をＯＦＦするよう、ＷｉＭＡＸ統括制御部３３４または３Ｇ統括制御部３２４は、３Ｇ電源管理部３２１またはＷｉＭＡＸ電源管理分３３１へ命令する。
【００５６】
この場合においても、無線レイヤは送信受信ともに非活性としているので、非活性期間中に基地局１１０／２１０からの電力制御命令を受信しない為に、非活性状態から活性状態に遷移した際に、基地局１１０／２１０からの電力制御により、過渡的に、高出力で信号を送信することを抑制できる。
【００５７】
なお、これらの非活性状態は、非活性状態の範囲が大きければ、大きいほど、Ｈｙｂｒｉｄ通信端末３００全体の消費電力は抑制できる。しかし、代わりに、非活性状態から活性状態に遷移するまでの時間が長くなる。このため、ＷｉＭＡＸ／３Ｇハンドオーバ対応端末がサポートしなければならないＰＣ４００のインタフェース仕様によって、最適な非活性範囲を選択する。これにより、パフォーマンスを落としすぎず効果的に省電力化を図ることができる。
＜初期接続時の動作（非優先ネットワークでの接続）＞
もし、優先ネットワークが圏外の場合、制御ユーザインタフェース５００は、より、優先ネットワーク側を非活性とし、非優先ネットワーク側を活性化する命令を３Ｇ機能部３２０とＷｉＭＡＸ機能部３３０へＨＵＢ３１０を経由で送信する。Ｈｙｂｒｉｄ通信端末３００は、非優先ネットワーク側で待受ける。なお、非優先ネットワーク側で待受けている場合、制御ユーザインタフェース５００は、優先ネットワークの状態が、圏外から圏内に遷移していないかを、任意の周期でチェックする。すなわち制御ユーザインタフェース５００は、３Ｇ統括制御部３２４およびＷｉＭＡＸ統括制御部３３４へ、各々の非活性適用機能部を活性状態から非活性状態または非活性状態から活性状態へ遷移させる命令を送信する。これによって、制御ユーザインタフェース５００は、逐次、優先ネットワークでの待受け可否を確認する。更にその際には、受信部だけを活性化させることで状態の確認時に必要となる電力消費を抑える。
【００５８】
優先ネットワークが圏内となった場合、制御ユーザインタフェース５００は、優先ネットワーク側に対応する３Ｇ機能部３２０またはＷｉＭＡＸ機能部３３０内の非活性適用機能部を活性化し、優先ネットワーク側で待受ける。
＜通信開始時の動作＞
次に、接続動作であるが、ユーザがユーザインタフェース５１０より、接続要求を行った場合、制御ユーザインタフェース５００は、デバイスドライバ４４０とＨＵＢ３１０を介して待受け状態となっている３Ｇ機能部３２０またはＷｉＭＡＸ機能部３３０へ接続命令を送る。３Ｇ機能部３２０またはＷｉＭＡＸ機能部３３０で待受け状態となっている側は、３Ｇ後位ＩＦ制御部３２３またはＷｉＭＡＸ後位ＩＦ制御部３３３において、接続命令を受信する。３Ｇ後位ＩＦ制御部３２３またはＷｉＭＡＸ後位ＩＦ制御部３３３は、その内容をＷｉＭＡＸ統括制御部３３４または３Ｇ統括制御部３２４へ転送する。ＷｉＭＡＸ統括制御部３３４または３Ｇ統括制御部３２４は、３Ｇモデム部３２５と３Ｇ ＲＦバンド部３２６またはＷｉＭＡＸモデム部３３５とＷｉＭＡＸ ＲＦバンド部３３６を制御し、ＷｉＭＡＸネットワーク２００または３Ｇネットワーク１００との接続を確立する。
＜ハンドオーバ時の動作＞
次にネットワーク接続が確立すると、制御ユーザインタフェース５００は、接続中の無線通信品質および接続状態の監視を開始する。なお、待受け時の状態監視、新規接続、およびシステム間ハンドオーバの制御は、全て、制御ユーザインタフェース５００が行なう。
【００５９】
図４を参照して、ユーザインタフェース５１０のＧＵＩ画面を説明する。図４において、ユーザインタフェース５１０は、状態表示ウィンド５１１と、送受信データカウンタ５１２と、電波表示ウィンド５１３と、接続／切断ボタン５１４と、優先接続設定５１５からなる。
【００６０】
状態表示ウィンド５１１は、どちらのネットワークで待受け中または接続中なのかを示すウィンドである。送受信データカウンタ５１２は、ＷｉＭＡＸネットワーク２００と３Ｇネットワーク１００とＷｉＭＡＸ／３Ｇハンドオーバ対応端末３００間で通信された、各々のデータ送受信量を示すウィンドである。電波表示ウィンド５１３は、待受け／接続中のＷｉＭＡＸネットワーク２００または３Ｇネットワーク１００の通信無線品質を表示する。接続／切断ボタン５１４は、ＷｉＭＡＸネットワーク２００または３Ｇネットワーク１００との接続／切断を制御するボタンである。優先接続設定５１５は、ＷｉＭＡＸに優先して接続するモードと、３Ｇに優先して接続するモードと、ＷｉＭＡＸのみに接続するモードと、３Ｇのみに接続するモードが設定可能である。
これらの機能は、全て、ユーザインタフェースＡＰＩ群５２０の各ＡＰＩと１対１で対応している。
【００６１】
システム間ハンドオーバ制御を行うに当たり、ＷｉＭＡＸネットワーク２００と３Ｇネットワーク１００とに対応するＨｙｂｒｉｄ通信端末３００内の３Ｇ機能部３２０およびＷｉＭＡＸ機能部３３０で設定されている非活性適用機能部を、活性化／非活性化を切り替えて実行することで、省電力でのハンドオーバを実現しているが、その非活性範囲が、３Ｇモデム部３２５またはＷｉＭＡＸモデム部３３５まで適用しなければならない場合、端末として通信状態を維持できなくなる。このために、Ｈｙｂｒｉｄ通信端末３００から切断情報がＰＣ４００へ通知され、ネットワーク側からアサインされていたＩＰアドレスをＯＳが破棄した直後、ユーザアプリケーションでネットワーク切断が表示されてしまう。
【００６２】
つまり、非活性範囲が、３Ｇモデム部３２５またはＷｉＭＡＸモデム部３３５まで適用しなければならない場合、システム間ハンドオーバ中の接続性を維持することが困難となる。しかし、ＴＣＰアプリケーション（具体的にはインターネット）については、ＩＰアドレスが破棄されている期間、３Ｇデバイスドライバ４４１またはＷｉＭＡＸデバイスドライバ４４２にてダミーアドレスをＯＳへアサインすることで、ＴＣＰセションを維持させることができる。このＴＣＰリトライ期間中にシステム間ハンドオーバを完了させれば、アプリケーションより、切断通知が表示されなくなる。
＜ＩＰアドレス補完機能の動作＞
このＩＰアドレス補完機能について、図５を利用して説明する。図５において、３Ｇ機能部３２０とＷｉＭＡＸ機能部３３０は、それぞれ３Ｇデバイスドライバ４４１とＷｉＭＡＸデバイスドライバ４４２を介して、制御ユーザインタフェース５００に状態レポートメッセージを定期的に送信する（Ｓ１００）。制御ユーザインタフェース５００は、待受けから接続開始にその表示を変更する（Ｓ１０１）。制御ユーザインタフェース５００は、ＷｉＭＡＸネットワーク２００への接続を開始する（Ｓ１０２）。制御ユーザインタフェース５００、ＷｉＭＡＸ機能部３３０、ＷｉＭＡＸネットワーク２００は、ＷｉＭＡＸ呼接続処理、ＷｉＭＡＸ認証処理を実行して（Ｓ１０３）、ＷｉＭＡＸ接続中に遷移する。ＷｉＭＡＸ機能部３３０は、ＷｉＭＡＸデバイスドライバ４４２を介して、制御ユーザインタフェース５００に状態レポートメッセージを定期的に送信する（Ｓ１０４）。
【００６３】
ここで、ＷｉＭＡＸネットワークとの通信の切断が発生したとする。ＷｉＭＡＸデバイスドライバ４４２は、通信の断を検出して、擬似ＩＰアドレスをＯＳにアサインする（Ｓ１０６）。制御ユーザインタフェース５００は、接続ネットワークの断を検出する（Ｓ１０７）。ステップ１０７の結果、ＯＳによるＩＰアドレスのリリースが発生する。制御ユーザインタフェース５００は、ＷｉＭＡＸデバイスドライバ４４２を介して、ＷｉＭＡＸ機能部３３０にＰｉｌｏｔ再補足要求を送信する（Ｓ１０８）。ＷｉＭＡＸ機能部３３０は、ＷｉＭＡＸネットワーク２００にＰｉｌｏｔ再補足要求を何回か送信する（Ｓ１０９）。
【００６４】
ＷｉＭＡＸ機能部３３０は、ＷｉＭＡＸデバイスドライバ４４２を介して、制御ユーザインタフェース５００にＰｉｌｏｔ再補足失敗を送信する（Ｓ１１１）。制御ユーザインタフェース５００は、ＷｉＭＡＸデバイスドライバ４４２を介して、ＷｉＭＡＸ機能部３３０に非活性状態遷移要求を送信する（Ｓ１１２）。ＷｉＭＡＸ機能部３３０は、ＷｉＭＡＸデバイスドライバ４４２を介して、制御ユーザインタフェース５００に非活性状態遷移完了を送信する（Ｓ１１３）。
【００６５】
制御ユーザインタフェース５００は、３Ｇデバイスドライバ４４１を介して、３Ｇ機能部３２０に活性状態遷移要求を送信する（Ｓ１１４）。３Ｇ機能部３２０は、３Ｇデバイスドライバ４４１を介して、制御ユーザインタフェース５００に活性状態遷移完了を送信する（Ｓ１１６）。制御ユーザインタフェース５００は、３Ｇデバイスドライバ４４１を介して、３Ｇ機能部３２０に３Ｇ状態レポート要求を送信する（Ｓ１１７）。３Ｇ機能部３２０は、３Ｇデバイスドライバ４４１を介して、制御ユーザインタフェース５００に３Ｇ状態レポートを定期的に送信する（Ｓ１１８）。
【００６６】
制御ユーザインタフェース５００は、３Ｇネットワーク１００への接続を開始する（Ｓ１１９）。制御ユーザインタフェース５００、３Ｇ機能部３２０、３Ｇネットワーク１００は、３Ｇ呼接続処理、３Ｇ認証処理を実行する（Ｓ１２１）。制御ユーザインタフェース５００は、ＯＳへ３Ｇ側ＩＰアドレスをアサインして（Ｓ１２２）、３Ｇ接続中に遷移する。
【００６７】
ＷｉＭＡＸデバイスドライバ４４２は、ＯＳへのＩＰアドレスアサインを検出して、ステップ１０７でアサインした擬似ＩＰアドレスをリリースする（Ｓ１２３）。制御ユーザインタフェース５００は、そのユーザインタフェース５１０に”ＷｉＭＡＸ＝＞３Ｇハンドオーバ完了”と表示する（Ｓ１２４）。
【００６８】
システム間ハンドオーバ制御ユーザインタフェース５００は、待受け中、ＷｉＭＡ機能部３３０および３Ｇ機能部３２０より、３Ｇ／ＷｉＭＡＸ状態表示レポートを、３Ｇドライバ４４１およびＷｉＭＡＸドライバ４４２を介して定期的に受信し、そのメッセージ内容に基づいて、優先ネットワークへの接続状態を保持し、優先ネットワークが保持できない場合、非優先ネットワークで待受けながら、定期的に優先ネットワークに接続が可能かの判定を継続する。
【００６９】
仮にＷｉＭＡＸネットワーク２００が優先ネットワークとして設定されていた場合、ユーザより制御ユーザインタフェース５００が接続指示を受けた場合、ＷｉＭＡＸ／３Ｇ Ｈｙｂｒｉｄ通信端末３００の状態はＷｉＭＡＸネットワーク接続起動となり、ＷｉＭＡＸ呼処理接続処理→ＷｉＭＡＸ認証処理Ｓ１０３を経て、ＷｉＭＡＸネットワーク接続中となる。
【００７０】
次に、制御ユーザインタフェース５００およびＷｉＭＡＸドライバ４４２は、ＷｉＭＡＸ／３Ｇ Ｈｙｂｒｉｄ通信端末３００の状態が接続中の場合、ＷｉＭＡＸ機能部３３０から定期的にＷｉＭＡＸネットワーク２００との接続状況を示すＷｉＭＡＸ状態レポートを受信し、無線通信品質およびＷｉＭＡＸ機能部の状態をモニタする。
【００７１】
接続中の呼が切断されたとき、ＷｉＭＡＸドライバ４４２は、ＷｉＭＡＸ疑似ＩＰアドレスのアサインを行なう。制御ユーザインタフェース５００が、ＷｉＭＡＸ状態レポートより、ＷｉＭＡＸネットワークとの接続状況が切断となったことを検出すると、ＯＳがＩＰアドレスをリリースする。
【００７２】
次に、制御ユーザインタフェース５００は、優先ネットワークである、ＷｉＭＡＸネットワーク２００のＰｉｌｏｔ再補足要求メッセージをＷｉＭＡＸ機能部３３０へ送信し、ＷｉＭＡＸ機能部３００はＷｉＭＡＸネットワーク２００へＰｉｌｏｔ再補足を実行し、規定回数の再補足実行を行ってもＷｉＭＡＸネットワーク２００へＰｉｌｏｔ再補足が成功しない場合、ＷｉＭＡＸ機能部は、制御ユーザインタフェース５００へＰｉｌｏｔ再補足失敗メッセージを送信する。
【００７３】
制御ユーザインタフェース５００は、Ｐｉｌｏｔ再補足失敗メッセージを受信すると、ＷｉＭＡＸネットワーク２００の再補足はあきらめて、ＷｉＭＡＸ機能部３３０へ非活性状態遷移要求メッセージを送信し、ＷｉＭＡＸ機能部３３０はあらかじめ決められた非活性適用機能部を非活性にした後に、制御ユーザインタフェース５００へ非活性状態遷移完了メッセージを送信する。
【００７４】
次に制御ユーザインタフェース５００は、３Ｇ機能部３２０へ活性状態遷移要求メッセージを送信する。３Ｇ機能部３２０は、活性状態遷移要求メッセージを受信すると、３Ｇ機能部３２０内のあらかじめ決められた非活性適用機能部を活性化した後に、制御ユーザインタフェース５００へ活性状態遷移完了メッセージを送信する。
【００７５】
次に制御ユーザインタフェース５００は、３Ｇ機能部３２０へ、３Ｇ状態レポート要求メッセージを送信する。３Ｇ機能部３２０は、３Ｇ状態レポート要求メッセージを受信後に、３Ｇ状態レポートメッセージを定期的に制御ユーザインタフェース５００へ送信する。次に制御ユーザインタフェース５００にて、３Ｇネットワークの有効性が判定されれば、３Ｇネットワークへの接続起動状態となり、３Ｇ呼処理接続処理→３Ｇ認証処理を経て、３Ｇネットワーク接続中となる。
【００７６】
次に、３Ｇネットワーク１００との接続が確立されと、３Ｇネットワーク１００よりＩＰアドレスがＯＳへアサインされるので、その直後、ＷｉＭＡＸドライバ４４２は、ＷｉＭＡＸ疑似ＩＰアドレスのリリースを実行する。制御ユーザインタフェース５００は、ＷｉＭＡＸネットワーク２００から３Ｇネットワーク１００へのハンドオーバ完了となる。
【００７７】
上述した実施例では、ＷｉＭＡＸ２００から、３Ｇネットワーク１００へのハンドオフ（ハンドダウン）を説明した。３Ｇネットワーク１００から、ＷｉＭＡＸ２００へのハンドオフ（ハンドアップ）のとき、３Ｇデバイスドライバ４４１が３Ｇ疑似ＩＰアドレスのアサインを行なう。また、３Ｇデバイスドライバ４４１は、ＷｉＭＡＸ２００へのハンドオフ完了後、３Ｇ疑似ＩＰアドレスのリリースを実行する。
【００７８】
上述した実施例によれば、ハンドオフ元のデバイスドライバは、呼の切断を検出すると、疑似ＩＰアドレスをＯＳにアサインする。また、ＯＳにＩＰアドレスのアサインを検出すると、疑似ＩＰアドレスをリリースする。したがって、ハンドオーバのとき、疑似ＩＰアドレスに繰り返しアクセスするうちに、ハンドオフ先のＩＰアドレスのアサインを受け、ハンドオフによる通信の切断がない。
【００７９】
図６ないし図１８を参照して、状態遷移時の無線送受信部の制御切替えを説明する。ここで、図６ないし図１３は、ＷｉＭＡＸを優先ネットワークとする状態遷移時の無線送受信部の制御切替えを説明する図である。また、図１４ないし図１８は、３Ｇを優先ネットワークとする状態遷移時の無線送受信部の制御切替えを説明する図である。図６ないし図１３において、横軸は時間、縦軸はそれぞれモデム部３２５、３３５と、ＲＦバンド部３２６、３３６の消費電力である。なお、時間軸は、時間に比例した幅ではない。
【００８０】
縦軸に付した制御モードは、ＴｘＲｘ：ＯＮ、Ｔｘ：ＯＦＦ,Ｒｘ：ＯＮ、ＴｘＲｘ：ＯＦＦの３種類である。ＴｘＲｘ：ＯＮは、モデム部３２５、３３５と、ＲＦバンド部３２６、３３６の受信部、送信部ともに有効な状態である。ＴｘＲｘ：ＯＮは、送受信が可能でプロトコル処理を実施する制御モードである。Ｔｘ：ＯＦＦ,Ｒｘ：ＯＮは、モデム部３２５、３３５と、ＲＦバンド部３２６、３３６の受信部のみ有効な状態である。Ｔｘ：ＯＦＦ,Ｒｘ：ＯＮは、受信のみ可能で、プロトコル処理しない制御モードである。ＴｘＲｘ：ＯＦＦは、モデム部３２５、３３５と、ＲＦバンド部３２６、３３６の受信部、送信部とも無効な状態である。縦軸の上から順に、ＴｘＲｘ：ＯＮ、Ｔｘ：ＯＦＦ,Ｒｘ：ＯＮ、ＴｘＲｘ：ＯＦＦと並ぶことから明らかなように、モデム部３２５、３３５と、ＲＦバンド部３２６、３３６の消費電力は、ＴｘＲｘ：ＯＮ＞Ｔｘ：ＯＦＦ,Ｒｘ：ＯＮ＞ＴｘＲｘ：ＯＦＦの関係にある。
なお、以下の説明において、３ＧからＷｉＭＡＸへのハンドオーバをハンドアップ、ＷｉＭＡＸから３Ｇへのハンドオーバをハンドダウンと呼ぶ。
【００８１】
図６を参照して、ＷｉＭＡＸを優先ネットワークとする電源ＯＮからＷｉＭＡＸ待受けへの状態遷移時の無線送受信部の制御切替えを説明する。図６において、ＷｉＭＡＸを優先ネットワークとするＨｙｂｒｉｄ通信端末３００の電源がＯＮになると、Ｈｙｂｒｉｄ通信端末３００は、まず３Ｇプロトコル処理を実施し、位置登録処理とシステムタイムを取得する。このとき、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。次に、Ｈｙｂｒｉｄ通信端末３００は、ＷｉＭＡＸスキャンする。ＷｉＭＡＸスキャンは、使用する周波数である２６２０ＭＨｚ、２６１０ＭＨｚ、２６００ＭＨｚを周波数スキャンして、最もＣＩＮＲ（Carrier power to Interference power and Noise power Ratio：キャリア電力対干渉電力・雑音電力比）の高い１０ＭＨｚ帯域を捕捉する処理である。このとき、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。
【００８２】
Ｈｙｂｒｉｄ通信端末３００は、ＷｉＭＡＸモニタ中に遷移する。このとき、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。Ｈｙｂｒｉｄ通信端末３００は、ＷｉＭＡＸモニタ中の３０秒に１秒、３Ｇモニタを実施し、電界表示のための３Ｇスキャンを実施する。３Ｇスキャンは、上述したＷｉＭＡＸスキャンと同様の処理である。このとき、３Ｇモデム部３２５と、３Ｇ ＲＦバンド部３２６と、ＷｉＭＡＸモデム部３３５と、ＷｉＭＡＸ ＲＦバンド部３３６は、いずれもＴｘ：ＯＦＦ,Ｒｘ：ＯＮである。
【００８３】
図７を参照して、ＷｉＭＡＸを優先ネットワークとするＷｉＭＡＸ通信中から３Ｇ通信中への状態遷移時の無線送受信部の制御切替えを説明する。図７において、待受け中のＨｙｂｒｉｄ通信端末３００は、発信操作を受け付けて、ＷｉＭＡＸ発信のためのＷｉＭＡＸスキャンを実施する。ＷｉＭＡＸ発信のためのＷｉＭＡＸスキャンは、ＷｉＭＡＸを細くしているか判定し、捕捉していればそのまま発信する。捕捉していなければ、再びＷｉＭＡＸスキャンして捕捉する処理である。Ｈｙｂｒｉｄ通信端末３００は、ＷｉＭＡＸ発信し、ＷｉＭＡＸ通信中に遷移する。この期間、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。
【００８４】
図８を参照して、ＷｉＭＡＸを優先ネットワークとするＷｉＭＡＸ通信中から３Ｇ通信中への状態遷移時の無線送受信部の制御切替えを説明する。図８において、ＷｉＭＡＸ通信中のＨｙｂｒｉｄ通信端末３００は、何らかの原因で３Ｇにハンドダウンする。ハンドダウン処理は、３Ｇスキャン、３Ｇ発信、３Ｇ通信中である。ハンドダウン処理において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。
【００８５】
図９を参照して、ＷｉＭＡＸを優先ネットワークとする３Ｇ通信中からＷｉＭＡＸ通信中への状態遷移時の無線送受信部の制御切替えを説明する。図９において、何らかの理由で３Ｇ通信中だったＨｙｂｒｉｄ通信端末３００は、ＷｉＭＡＸスキャンを開始する。ここでは、ＷｉＭＡＸを捕捉できたので、Ｈｙｂｒｉｄ通信端末３００は、ＷｉＭＡＸ通信中に遷移する。
【００８６】
３Ｇ通信中において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。ＷｉＭＡＸスキャン中は、３Ｇモデム部３２５と、３Ｇ ＲＦバンド部３２６と、ＷｉＭＡＸモデム部３３５と、ＷｉＭＡＸ ＲＦバンド部３３６は、いずれもＴｘ：ＯＦＦ,Ｒｘ：ＯＮである。ＷｉＭＡＸ待受け中において、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。
【００８７】
図１０を参照して、ＷｉＭＡＸを優先ネットワークとするＷｉＭＡＸ通信中からＷｉＭＡＸ待受けへの状態遷移時の無線送受信部の制御切替えを説明する。図１０において、ＷｉＭＡＸ通信中だったＨｙｂｒｉｄ通信端末３００は、ＷｉＭＡＸ切断を経て、優先ネットワークであるＷｉＭＡＸ待受けに遷移する。この期間、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。
【００８８】
図１１を参照して、ＷｉＭＡＸを優先ネットワークとするＷｉＭＡＸ待受けからＷｉＭＡＸ通信失敗を経て３Ｇ通信中への状態遷移時の無線送受信部の制御切替えを説明する。図１１において、ＷｉＭＡＸ待受け中だったＨｙｂｒｉｄ通信端末３００は、発信操作を受け付けて、ＷｉＭＡＸスキャンを実施する。しかし、Ｈｙｂｒｉｄ通信端末３００は、ＷｉＭＡＸ圏外を判定する。そこで、Ｈｙｂｒｉｄ通信端末３００は、３Ｇ発信に切替える。Ｈｙｂｒｉｄ通信端末３００は、３Ｇスキャン、３Ｇ発信を経て、３Ｇ通信中となる。
【００８９】
ＷｉＭＡＸ待受け、ＷｉＭＡＸスキャン中において、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。３Ｇ発信において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。
【００９０】
図１２を参照して、ＷｉＭＡＸを優先ネットワークとする３Ｇ通信中からＷｉＭＡＸハンドアップを経て再び３Ｇ通信中への状態遷移時の無線送受信部の制御切替えを説明する。図１２において、３Ｇ Ａｃｔｉｖｅ、ＷｉＭＡＸハンドアップまでは、図９と同様である。しかし、ＷｉＭＡＸハンドアップでＨｙｂｒｉｄ通信端末３００は、圏外を検出する。そこで、Ｈｙｂｒｉｄ通信端末３００は、３Ｇ通信継続を選択する。ＷｉＭＡＸスキャン中において、３Ｇモデム部３２５と、３Ｇ ＲＦバンド部３２６と、ＷｉＭＡＸモデム部３３５と、ＷｉＭＡＸ ＲＦバンド部３３６は、いずれもＴｘ：ＯＦＦ,Ｒｘ：ＯＮである。それ以外の期間は、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。
【００９１】
図１３を参照して、ＷｉＭＡＸを優先ネットワークとする３Ｇ通信中からＷｉＭＡＸ待受けへの状態遷移時の無線送受信部の制御切替えを説明する。図１３において、何らかの理由で３Ｇ通信中のＨｙｂｒｉｄ通信端末３００は、３Ｇ通信を切断し、ＷｉＭＡＸ待受け中に遷移する。３Ｇ通信中において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。ＷｉＭＡＸ待受け中において、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。
【００９２】
なお、正確には、３Ｇ通信中からＷｉＭＡＸ待受けへの状態遷移は、ＷｉＭＡＸスキャンを経る。しかし、ここでは無線送受信部の制御切替えにフォーカスしているので、省いている。
【００９３】
図１４を参照して、３Ｇを優先ネットワークとする電源ＯＮから３Ｇ待受けへの状態遷移時の無線送受信部の制御切替えを説明する。図１４において、３Ｇを優先ネットワークとするＨｙｂｒｉｄ通信端末３００の電源がＯＮになると、Ｈｙｂｒｉｄ通信端末３００は、まずＷｉＭＡＸスキャンを実施する。Ｈｙｂｒｉｄ通信端末３００は、次に３Ｇプロトコル処理を実施し、３Ｇモニタ中に遷移する。Ｈｙｂｒｉｄ通信端末３００は、３Ｇモニタ中の３０秒に１秒、ＷｉＭＡＸモニタを実施し、電界表示のためのＷｉＭＡＸスキャンを実施する。Ｈｙｂｒｉｄ通信端末３００は、不定期に３Ｇプロトコル処理を実施する。この不定期な３Ｇプロトコル処理において、Ｈｙｂｒｉｄ通信端末３００は、Ｉｄｌｅハンドオフなどのプロトコル処理を実施する。
【００９４】
ＷｉＭＡＸスキャンにおいて、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。３Ｇプロトコル処理、３Ｇモニタ中において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。ＷｉＭＡＸモニタ中において、３Ｇモデム部３２５と、３Ｇ ＲＦバンド部３２６と、ＷｉＭＡＸモデム部３３５と、ＷｉＭＡＸ ＲＦバンド部３３６は、いずれもＴｘ：ＯＦＦ,Ｒｘ：ＯＮである。
【００９５】
図１５を参照して、３Ｇを優先ネットワークとする３Ｇ待受けからＷｉＭＡＸ発信への状態遷移時の無線送受信部の制御切替えを説明する。図１５において、３Ｇ待受け中のＨｙｂｒｉｄ通信端末３００は、ＷｉＭＡＸ発信を受け付けてＷｉＭＡＸスキャンを開始する。この場合、ＷｉＭＡＸを捕捉できたので、Ｈｙｂｒｉｄ通信端末３００は、ＷｉＭＡＸ発信し、ＷｉＭＡＸ通信を開始する。
【００９６】
３Ｇ待受け中において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。ＷｉＭＡＸスキャン中において、３Ｇモデム部３２５と、３Ｇ ＲＦバンド部３２６と、ＷｉＭＡＸモデム部３３５と、ＷｉＭＡＸ ＲＦバンド部３３６は、いずれもＴｘ：ＯＦＦ,Ｒｘ：ＯＮである。ＷｉＭＡＸ発信以降、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。
【００９７】
図１６を参照して、３Ｇを優先ネットワークとするＷｉＭＡＸ通信中から３Ｇ待受けへの状態遷移時の無線送受信部の制御切替えを説明する。図１６において、何らかの理由でＷｉＭＡＸ通信中のＨｙｂｒｉｄ通信端末３００は、ＷｉＭＡＸ切断と３Ｇセッションネゴを経て３Ｇ待ち受けに遷移する。ＷｉＭＡＸ通信中、ＷｉＭＡＸ切断において、３Ｇモデム部３２５と、３Ｇ ＲＦバンド部３２６は、ＴｘＲｘ：ＯＦＦである。一方、ＷｉＭＡＸモデム部３３５と、ＷｉＭＡＸ ＲＦバンド部３３６は、ＴｘＲｘ：ＯＮである。３Ｇセッションネゴ、３Ｇ待ち受けにおいて、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。
【００９８】
図１７を参照して、３Ｇを優先ネットワークとする３Ｇ通信からＷｉＭＡＸスキャンを経て再び３Ｇ発信への状態遷移時の無線送受信部の制御切替えを説明する。図１７において、３Ｇ通信中のＨｙｂｒｉｄ通信端末３００は、ＷｉＭＡＸ発信を試みる。しかし、ＷｉＭＡＸ圏外であったため、Ｈｙｂｒｉｄ通信端末３００は、３Ｇ発信に切り替え、３Ｇスキャンを経て３Ｇ発信する。
【００９９】
ＷｉＭＡＸスキャン中において、３Ｇモデム部３２５と、３Ｇ ＲＦバンド部３２６と、ＷｉＭＡＸモデム部３３５と、ＷｉＭＡＸ ＲＦバンド部３３６は、いずれもＴｘ：ＯＦＦ,Ｒｘ：ＯＮである。それ以外の期間において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。
【０１００】
図１８を参照して、３Ｇを優先ネットワークとする３Ｇ通信中から３Ｇ待受けへの状態遷移時の無線送受信部の制御切替えを説明する。図１８において、３Ｇ通信中のＨｙｂｒｉｄ通信端末３００は、３Ｇ通信を切断して、３Ｇ待受けに遷移する。図１８の全期間において、３Ｇモデム部３２５と、３Ｇ ＲＦバンド部３２６は、ＴｘＲｘ：ＯＮである。一方、ＷｉＭＡＸモデム部３３５と、ＷｉＭＡＸ ＲＦバンド部３３６は、ＴｘＲｘ：ＯＦＦである。
【０１０１】
図１９ないし図２４を参照して、３Ｇ機能部３２０とシステムハンドオーバ制御制御ユーザインタフェース５００とＷｉＭＡＸ機能部３３０との間のＲＦ制御シーケンスを説明する。なお、図１９ないし図２４の説明は、ＷｉＭＡＸが待受け状態で説明する。３Ｇ待受けについては、図１９ないし図２４の説明で当業者は容易に理解でき得るものである。
【０１０２】
図１９において、３Ｇ機能部３２０とシステムハンドオーバ制御ユーザインタフェース５００とＷｉＭＡＸ機能部３３０とは、３ＧがＴｘＲｘ：ＯＮ、ＷｉＭＡＸがＴｘＲｘ：ＯＦＦ状態にある。この状態は、ＷｉＭＡＸ優先モードの電源ＯＮ後と、３Ｇ通信中の状態である。この状態から、３Ｇ機能部３２０とシステムハンドオーバ制御ユーザインタフェース５００とＷｉＭＡＸ機能部３３０とは、イベント発生を検出する（Ｓ２０１）。ここで、イベントとは、次の３イベントである。
・３Ｇ待ち受け中のＷｉＭＡＸスキャン
・３Ｇ優先モード発信時のＷｉＭＡＸスキャン
・３Ｇ（Ｄｏｒｍａｎｔ）→ＷｉＭＡＸハンドアップ時のＷｉＭＡＸスキャン
制御ユーザインタフェース５００は、３Ｇ機能部３２０にＴｘ：ＯＦＦ,Ｒｘ：ＯＮ切替指示を送信する（Ｓ２０２）。３Ｇ機能部３２０は、Ｔｘ：ＯＦＦ,Ｒｘ：ＯＮに遷移する（Ｓ２０３）。３Ｇ機能部３２０は、制御ユーザインタフェース５００にＴｘ：ＯＦＦ,Ｒｘ：ＯＮ切替完了通知を送信する（Ｓ２０４）。制御ユーザインタフェース５００は、ＷｉＭＡＸ機能部３３０にＴｘ：ＯＦＦ,Ｒｘ：ＯＮ切替指示を送信する（Ｓ２０６）。ＷｉＭＡＸ機能部３３０は、Ｔｘ：ＯＦＦ,Ｒｘ：ＯＮに遷移する（Ｓ２０７）。ＷｉＭＡＸ機能部３３０は、制御ユーザインタフェース５００にＴｘ：ＯＦＦ,Ｒｘ：ＯＮ切替完了通知を送信する（Ｓ２０８）。この結果、３Ｇ機能部３２０とシステムハンドオーバ制御ユーザインタフェース５００とＷｉＭＡＸ機能部３３０とは、３Ｇ、ＷｉＭＡＸともＴｘ：ＯＦＦ,Ｒｘ：ＯＮ状態に遷移する。
【０１０３】
図２０において、３Ｇ機能部３２０とシステムハンドオーバ制御ユーザインタフェース５００とＷｉＭＡＸ機能部３３０とは、３ＧがＴｘＲｘ：ＯＮ、ＷｉＭＡＸがＴｘＲｘ：ＯＦＦ状態にある。この状態は、ＷｉＭＡＸ優先モードの電源ＯＮ後と、３Ｇ通信中の状態である。この状態から、３Ｇ機能部３２０とシステムハンドオーバ制御ユーザインタフェース５００とＷｉＭＡＸ機能部３３０とは、イベント発生を検出する（Ｓ２１１）。ここで、イベントとは、次の２イベントである。
・ＷｉＭＡＸ優先モード時の電源ＯＮ（３Ｇスキャン→ＷｉＭＡＸ待ち受け）
・ＷｉＭＡＸ優先モード時の３Ｇ通信中の切断
制御ユーザインタフェース５００は、３Ｇ機能部３２０にＴｘＲｘ：ＯＦＦ切替指示を送信する（Ｓ２１２）。３Ｇ機能部３２０は、ＴｘＲｘ：ＯＦＦに遷移する（Ｓ２１３）。３Ｇ機能部３２０は、制御ユーザインタフェース５００にＴｘＲｘ：ＯＦＦ切替完了通知を送信する（Ｓ２１４）。制御ユーザインタフェース５００は、ＷｉＭＡＸ機能部３３０にＴｘＲｘ：ＯＮ切替指示を送信する（Ｓ２１６）。ＷｉＭＡＸ機能部３３０は、ＴｘＲｘ：ＯＮに遷移する（Ｓ２１７）。ＷｉＭＡＸ機能部３３０は、制御ユーザインタフェース５００にＴｘＲｘ：ＯＮ切替完了通知を送信する（Ｓ２１８）。この結果、３Ｇ機能部３２０とシステムハンドオーバ制御ユーザインタフェース５００とＷｉＭＡＸ機能部３３０とは、３ＧがＴｘＲｘ：ＯＦＦ、ＷｉＭＡＸがＴｘＲｘ：ＯＮ状態に遷移する。
【０１０４】
図２１において、３Ｇ機能部３２０とシステムハンドオーバ制御ユーザインタフェース５００とＷｉＭＡＸ機能部３３０とは、３Ｇ、ＷｉＭＡＸともＴｘ：ＯＦＦ,Ｒｘ：ＯＮ状態にある。この状態は、ＷｉＭＡＸスキャン中の状態である。この状態から、３Ｇ機能部３２０とシステムハンドオーバ制御ユーザインタフェース５００とＷｉＭＡＸ機能部３３０とは、イベント発生を検出する（Ｓ２２１）。ここで、イベントとは、次の３イベントである。
・３Ｇ優先モード中のＷｉＭＡＸスキャン終了
・３Ｇ待ち受け時の３Ｇ発信
・３Ｇ通信中のＷｉＭＡＸ圏外スキャン終了（３Ｇ＿Ｄｏｒｍａｔｎ継続）
制御ユーザインタフェース５００は、ＷｉＭＡＸ機能部３３０にＴｘＲｘ：ＯＦＦ切替指示を送信する（Ｓ２２２）。ＷｉＭＡＸ機能部３３０は、ＴｘＲｘ：ＯＦＦに遷移する（Ｓ２２３）。ＷｉＭＡＸ機能部３３０は、制御ユーザインタフェース５００にＴｘＲｘ：ＯＦＦ切替完了通知を送信する（Ｓ２２４）。制御ユーザインタフェース５００は、３Ｇ機能部３２０にＴｘＲｘ：ＯＮ切替指示を送信する（Ｓ２２６）。３Ｇ機能部３２０は、ＴｘＲｘ：ＯＮに遷移する（Ｓ２２７）。３Ｇ機能部３２０は、制御ユーザインタフェース５００にＴｘＲｘ：ＯＮ切替完了通知を送信する（Ｓ２２８）。この結果、３Ｇ機能部３２０とシステムハンドオーバ制御ユーザインタフェース５００とＷｉＭＡＸ機能部３３０とは、３ＧがＴｘＲｘ：ＯＮ、ＷｉＭＡＸがＴｘＲｘ：ＯＦＦ状態に遷移する。
【０１０５】
図２２において、３Ｇ機能部３２０とシステムハンドオーバ制御ユーザインタフェース５００とＷｉＭＡＸ機能部３３０とは、３Ｇ、ＷｉＭＡＸともＴｘ：ＯＦＦ,Ｒｘ：ＯＮ状態にある。この状態は、ＷｉＭＡＸスキャン中の状態である。この状態から、３Ｇ機能部３２０とシステムハンドオーバ制御ユーザインタフェース５００とＷｉＭＡＸ機能部３３０とは、イベント発生を検出する（Ｓ２３１）。ここで、イベントとは、次の３イベントである。
・ＷｉＭＡＸ優先モード中の３Ｇスキャン終了
・３Ｇ優先モード時のＷｉＭＡＸスキャン後のＷｉＭＡＸ発信
・３Ｇ通信中のＷｉＭＡＸスキャン後のＷｉＭＡＸハンドアップ
制御ユーザインタフェース５００は、３Ｇ機能部３２０にＴｘＲｘ：ＯＦＦ切替指示を送信する（Ｓ２３２）。３Ｇ機能部３２０は、ＴｘＲｘ：ＯＦＦに遷移する（Ｓ２３３）。３Ｇ機能部３２０は、制御ユーザインタフェース５００にＴｘＲｘ：ＯＦＦ切替完了通知を送信する（Ｓ２３４）。制御ユーザインタフェース５００は、ＷｉＭＡＸ機能部３３０にＴｘＲｘ：ＯＮ切替指示を送信する（Ｓ２３６）。ＷｉＭＡＸ機能部３３０は、ＴｘＲｘ：ＯＮに遷移する（Ｓ２３７）。ＷｉＭＡＸ機能部３３０は、制御ユーザインタフェース５００にＴｘＲｘ：ＯＮ切替完了通知を送信する（Ｓ２３８）。この結果、３Ｇ機能部３２０とシステムハンドオーバ制御ユーザインタフェース５００とＷｉＭＡＸ機能部３３０とは、３ＧがＴｘＲｘ：ＯＦＦ、ＷｉＭＡＸがＴｘＲｘ：ＯＮ状態に遷移する。
【０１０６】
図２３において、３Ｇ機能部３２０とシステムハンドオーバ制御ユーザインタフェース５００とＷｉＭＡＸ機能部３３０とは、３ＧがＴｘＲｘ：ＯＦＦ、ＷｉＭＡＸがＴｘＲｘ：ＯＮ状態にある。この状態は、ＷｉＭＡＸ待受け中と、ＷｉＭＡＸ通信中の状態である。この状態から、３Ｇ機能部３２０とシステムハンドオーバ制御ユーザインタフェース５００とＷｉＭＡＸ機能部３３０とは、イベント発生を検出する（Ｓ２４１）。ここで、イベントとは、次の１イベントである。
・ＷｉＭＡＸ優先モード中の３Ｇスキャン
制御ユーザインタフェース５００は、ＷｉＭＡＸ機能部３３０にＴｘ：ＯＦＦ,Ｒｘ：ＯＮ切替指示を送信する（Ｓ２４２）。ＷｉＭＡＸ機能部３３０は、Ｔｘ：ＯＦＦ,Ｒｘ：ＯＮに遷移する（Ｓ２４３）。ＷｉＭＡＸ機能部３３０は、制御ユーザインタフェース５００にＴｘ：ＯＦＦ,Ｒｘ：ＯＮ切替完了通知を送信する（Ｓ２４４）。制御ユーザインタフェース５００は、３Ｇ機能部３２０にＴｘ：ＯＦＦ,Ｒｘ：ＯＮ切替指示を送信する（Ｓ２４６）。３Ｇ機能部３２０は、Ｔｘ：ＯＦＦ,Ｒｘ：ＯＮに遷移する（Ｓ２４７）。３Ｇ機能部３２０は、制御ユーザインタフェース５００にＴｘ：ＯＦＦ,Ｒｘ：ＯＮ切替完了通知を送信する（Ｓ２４８）。この結果、３Ｇ機能部３２０とシステムハンドオーバ制御ユーザインタフェース５００とＷｉＭＡＸ機能部３３０とは、３Ｇ、ＷｉＭＡＸともＴｘ：ＯＦＦ,Ｒｘ：ＯＮ状態に遷移する。
【０１０７】
図２４において、３Ｇ機能部３２０とシステムハンドオーバ制御ユーザインタフェース５００とＷｉＭＡＸ機能部３３０とは、３ＧがＴｘＲｘ：ＯＦＦ、ＷｉＭＡＸがＴｘＲｘ：ＯＮ状態にある。この状態は、ＷｉＭＡＸ待受け中と、ＷｉＭＡＸ通信中の状態である。この状態から、３Ｇ機能部３２０とシステムハンドオーバ制御ユーザインタフェース５００とＷｉＭＡＸ機能部３３０とは、イベント発生を検出する（Ｓ２５１）。ここで、イベントとは、次の３イベントである。
・ＷｉＭＡＸ優先モード中の３Ｇ発信
・ＷｉＭＡＸ→３Ｇハンドダウン
・３Ｇ優先モード時のＷｉＭＡＸ通信中の切断
制御ユーザインタフェース５００は、ＷｉＭＡＸ機能部３３０にＴｘＲｘ：ＯＦＦ切替指示を送信する（Ｓ２５２）。ＷｉＭＡＸ機能部３３０は、ＴｘＲｘ：ＯＦＦに遷移する（Ｓ２５３）。ＷｉＭＡＸ機能部３３０は、制御ユーザインタフェース５００にＴｘＲｘ：ＯＦＦ切替完了通知を送信する（Ｓ２５４）。制御ユーザインタフェース５００は、３Ｇ機能部３２０にＴｘＲｘ：ＯＮ切替指示を送信する（Ｓ２５６）。３Ｇ機能部３２０は、ＴｘＲｘ：ＯＮに遷移する（Ｓ２５７）。３Ｇ機能部３２０は、制御ユーザインタフェース５００にＴｘＲｘ：ＯＮ切替完了通知を送信する（Ｓ２５８）。この結果、３Ｇ機能部３２０とシステムハンドオーバ制御ユーザインタフェース５００とＷｉＭＡＸ機能部３３０とは、３ＧがＴｘＲｘ：ＯＮ、ＷｉＭＡＸがＴｘＲｘ：ＯＦＦ状態に遷移する。
【０１０８】
図１９ないし図２４から明らかなように、本実施例に拠れば、制御ユーザインタフェース５００は、モデム部とＲＦバンド部の機能を停止する側の機能部３２０／３３０に先に切り替え指示を送信し、切替完了を待って、モデム部とＲＦバンド部の機能を稼動する側の機能部３２０／３３０に先に切り替え指示を送信する。この結果、ＰＣから電力供給を受けることで動作する通信端末において、多くのＰＣインタフェースをサポートすることができる。また、ＰＣから電力供給を受けないハンドセットタイプの通信端末においても、総合的に消費する電力量が減り、内臓バッテリの利用時間を長くすることができる。
【符号の説明】
【０１０９】
１００…３Ｇネットワーク、１１０…３Ｇ基地局、２００…ＷｉＭＡＸネットワーク、２１０…ＷｉＭＡＸ基地局、３００…ＷｉＭＡＸ／３Ｇ Ｈｙｂｒｉｄ通信端末、３１０…ＨＵＢ、３２０…３Ｇ機能部、３２１…３Ｇ電源管理部、３２２…３Ｇメモリ部、３２３…３Ｇ後位ＩＦ制御部、３２４…３Ｇ統括制御部、３２５…３Ｇモデム部、３２６…３Ｇ ＲＦバンド部、３２７…３Ｇ ＡＮＴＳ、３３０…ＷｉＭＡＸ機能部、３３１…ＷｉＭＡＸ電源管理部、３３２…ＷｉＭＡＸメモリ部、３３３…ＷｉＭＡＸ後位ＩＦ制御部、３３４…ＷｉＭＡＸ統括制御部、３３５…ＷｉＭＡモデム部、３３６…ＷｉＭＡＸ ＲＦバンド部、３３７…ＷｉＭＡＸ ＡＮＴＳ、４００…ＰＣ、４１０…通信アプリケーション、４２０…ネットワーク状態表示テーブル、４３０…ＴＣＰ／ＩＰ部、４４０…デバイスドライバ、４４１…３Ｇデバイスドライバ、４４２…ＷｉＭＡＸデバイスドライバ、４５０…デバイスマネージャ、４５１…モデム、４５２…ネットワークアダプタ、４６０…ＵＳＢ ＩＦ部、４６５…ＣＰＵ、４７０…メモリ、４７５…表示部、４８０…ハードディスク、４８５…操作部、４９０…内部通信線、５００…システム間ハンドオーバ制御ユーザインタフェース、５１０…ユーザインタフェース、５１１…状態表示ウィンド、５１２…送受信データカウンタ、５１３…電波表示ウィンド、５１４…接続／切断ボタン、５１５…優先接続設定、５２０…ユーザインタフェースＡＰＩ群、５３０…ハンドオーバ／ユーザインタフェース制御部、５４０…３Ｇネットワーク状態監視部、５５０…ＷｉＭＡＸ ＡＰＩ群、５６０…ＷｉＭＡＸネットワーク状態監視部、５７０…３Ｇ ＡＰＩ制御部、５８０…ＷｉＭＡＸ ＡＰＩ制御部、５９０…３Ｇ ＡＰＩ群、１０００…無線ネットワーク。
【図１】
2011155589.tif 000003
【図２】
2011155589.tif 000004
【図３】
2011155589.tif 000005
【図４】
2011155589.tif 000006
【図５Ａ】
2011155589.tif 000007
【図５Ｂ】
2011155589.tif 000008
【図６】
2011155589.tif 000009
【図７】
2011155589.tif 000010
【図８】
2011155589.tif 000011
【図９】
2011155589.tif 000012
【図１０】
2011155589.tif 000013
【図１１】
2011155589.tif 000014
【図１２】
2011155589.tif 000015
【図１３】
2011155589.tif 000016
【図１４】
2011155589.tif 000017
【図１５】
2011155589.tif 000018
【図１６】
2011155589.tif 000019
【図１７】
2011155589.tif 000020
【図１８】
2011155589.tif 000021
【図１９】
2011155589.tif 000022
【図２０】
2011155589.tif 000023
【図２１】
2011155589.tif 000024
【図２２】
2011155589.tif 000025
【図２３】
2011155589.tif 000026
【図２４】
2011155589.tif 000027